【手続補正書】
【提出日】平成18年4月3日(2006.4.3)
【手続補正１】
【補正対象書類名】明細書
【補正対象項目名】特許請求の範囲
【補正方法】変更
【補正の内容】
【特許請求の範囲】
【請求項１】レーザ光を発生する第１の光源と、
前記第１の光源からのレーザ光を試料上に集光させる対物レンズと、
前記レーザ光を前記試料上で２次元走査する光走査手段と、
前記試料にエバネッセント照明を行うための光を発生する第２の光源と、
前記第１の光源からのレーザ光の光路に設けられ、前記レーザ光の前記試料上の集光位置を前記対物レンズの光軸方向に光学的に可変制御する集光位置制御手段と、
前記エバネッセント照明により発生する蛍光を撮像する撮像手段と、を具備し、
前記試料にエバネッセント照明を行なう条件を満足するように前記対物レンズと前記試料の機械的な位置関係を固定した状態で、前記集光位置制御手段により前記レーザ光の前記試料面上の集光位置を制御可能としたことを特徴とする顕微鏡システム。
【請求項２】前記第１のレーザ光源からのレーザ光が集光される前記試料上の集光位置から発する光を共焦点観察する共焦点観察手段をさらに設けたことを特徴とする請求項１記載の顕微鏡システム。
【請求項３】前記第１のレーザ光源からのレーザ光は、前記試料上の集光位置に光化学反応を生じさせるものであることを特徴とする請求項１記載の顕微鏡システム。
【請求項４】前記第２の光源は、レーザ光を発生するレーザ光源からなり、且つ前記第１の光源とともに単一のレーザ光源ユニットを構成し、この単一レーザ光源ユニットからそれぞれレーザ光を導出するための第１および第２の光ファイバを各別に設け、前記第１の光ファイバを通したレーザ光を前記第１の光源からの光として用い、前記第２の光ファイバを通したレーザ光を前記第２の光源からの光として用いることを特徴とする請求項１乃至３のいずれかに記載の顕微鏡システム。
【請求項５】前記レーザ光源ユニットは、前記第１および第２の光源よりそれぞれ発生される光の波長を同一にし、これら第１および第２の光源を一つの光源で構成したことを特徴とする請求項４記載の顕微鏡システム。
【請求項６】前記第１および第２の光源は、それぞれ発生される光の波長が異なることを特徴とする請求項１乃至４のいずれかに記載の顕微鏡システム。
【請求項７】前記集光位置制御手段は、波面変換素子であることを特徴とする請求項１乃至６のいずれかに記載の顕微鏡システム。
【請求項８】前記集光位置制御手段は、前記試料上に集光されるレーザ光のビーム径を変換するビーム径変換手段と、該ビーム径変換手段から出射するレーザ光のコリメート具合を可変する手段を有することを特徴とする請求項１乃至６のいずれかに記載の顕微鏡システム。
【請求項９】前記第１のレーザ光源は、２光子励起用パルスレーザを発生することを特徴とする請求項１、３、６、８記載の顕微鏡システム。
【請求項１０】前記集光位置制御手段による前記レーザ光の前記試料面上の集光位置の制御および前記光走査手段による前記レーザ光の前記試料上での２次元走査の制御の少なくとも一方に、前記撮像手段による前記蛍光の撮像を同期させて制御することを特徴とする請求項１乃至９のいずれかに記載の顕微鏡システム。
【請求項１１】前記共焦点観察手段は、前記試料上の集光位置から発する光を検出する光検出手段を有しており、前記光検出手段による検出と前記撮像手段による前記蛍光の撮像を同期させて制御することを特徴とする請求項１０記載の顕微鏡システム。
【請求項１２】前記第１のレーザ光源からのレーザ光の前記試料への照射のタイミングと、前記第２の光源の前記試料への照射のタイミングを同期させて制御することを特徴とする請求項１０，１１記載の顕微鏡システム。
【請求項１３】前記エバネッセント照明により発生する蛍光を撮像する撮像手段の撮像光路上に、前記第１の光源から前記試料上に集光されるレーザ光の波長をカットするフィルタ手段を設けたことを特徴とする請求項６、１０、１１記載の顕微鏡システム。
【請求項１４】前記エバネッセント照明は、前記試料を挟んで前記対物レンズの対向側に配置されるコンデンサレンズを介して行なうことを特徴とする請求項１乃至１３のいずれかに記載の顕微鏡システム。
【請求項１５】レーザ光を発生する第１の光源と、
前記第１のレーザ光源からのレーザ光を試料上に集光させる対物レンズと、
前記レーザ光を試料上で２次元走査する光走査手段と、
前記対物レンズを介して前記試料上の照明を行うための光を発生する第２の光源と、
前記第２の光源からの照明により前記試料より発する光を撮像する撮像手段と、
光走査手段からのレーザ光と前記第２の光源から発した光のそれぞれが前記対物レンズに向かう途中でそれぞれの光軸を同軸に導く光路合成手段と、
前記第１の光源からのレーザ光の光路に設けられ、前記レーザ光の前記試料上の集光位置を前記対物レンズの光軸方向に光学的に可変制御する集光位置制御手段と、を具備し、
前記対物レンズと前記試料の機械的な位置関係を固定した状態で、前記集光位置制御手段により前記レーザ光の前記試料面上の集光位置を制御可能としたことを特徴とする顕微鏡システム。
【請求項１６】前記第２の光源は、レーザ光を発生するレーザ光源からなり、且つ前記第１の光源とともに単一のレーザ光源ユニットを構成し、この単一レーザ光源ユニットからそれぞれレーザ光を導出するための第１および第２の光ファイバを各別に設け、前記第１の光ファイバを通したレーザ光を前記第１の光源からの光として用い、前記第２の光ファイバを通したレーザ光を前記第２の光源からの光として用いることを特徴とする請求項１５記載の顕微鏡システム。
【手続補正２】
【補正対象書類名】明細書
【補正対象項目名】００２０
【補正方法】変更
【補正の内容】
【００２０】
請求項４記載の発明は、請求項１乃至３のいずれかに記載の発明において、前記第２の光源は、レーザ光を発生するレーザ光源からなり、且つ前記第１の光源とともに単一のレーザ光源ユニットを構成し、、この単一レーザ光源ユニットからそれぞれレーザ光を導出するための第１および第２の光ファイバを各別に設け、前記第１の光ファイバを通したレーザ光を第１の光源からの光として用い、前記第２の光ファイバを通したレーザ光を前記前記第２の光源からの光として用いることを特徴としている。
【手続補正３】
【補正対象書類名】明細書
【補正対象項目名】００３１
【補正方法】変更
【補正の内容】
【００３１】
請求項１５記載の発明は、レーザ光を発生する第１の光源と、前記第１のレーザ光源からのレーザ光を試料上に集光させる対物レンズと、前記レーザ光を試料上で２次元走査する光走査手段と、前記対物レンズを介して前記試料上の照明を行うための光を発生する第２の光源と、前記第２の光源からの照明により前記試料より発する光を撮像する撮像手段と、光走査手段からのレーザ光と前記第２の光源から発した光のそれぞれが前記対物レンズに向かう途中でそれぞれの光軸を同軸に導く光路合成手段と、前記第１の光源からのレーザ光の光路に設けられ、前記レーザ光の前記試料上の集光位置を前記対物レンズの光軸方向に光学的に可変制御する集光位置制御手段と、を具備し、前記対物レンズと前記試料の機械的な位置関係を固定した状態で、前記集光位置制御手段により前記レーザ光の前記試料面上の集光位置を制御可能としたことを特徴としている。
請求項１６記載の発明は、請求項１５記載の発明において、前記第２の光源は、レーザ光を発生するレーザ光源からなり、且つ前記第１の光源とともに単一のレーザ光源ユニットを構成し、この単一レーザ光源ユニットからそれぞれレーザ光を導出するための第１および第２の光ファイバを各別に設け、前記第１の光ファイバを通したレーザ光を前記第１の光源からの光として用い、前記第２の光ファイバを通したレーザ光を前記第２の光源からの光として用いることを特徴とする。